(57)【要約】【課題】フレームとベゼルとの導通を確保しつつ組み立ておよび修理の作業性を向上した液晶表示装置を提供する。【解決手段】金属製のフレーム４に設けた第２側壁部44に突設した突出部57に対して、ベゼル５に設けた第２ベゼル側壁部65が、ベゼル５をフレーム４に取り付ける際に圧接し、この圧接により突出部57と第２ベゼル側壁部65とを電気的に接続するとともにベゼル５をフレーム４に固定する。導通用の部材などを用いることなくフレーム４とベゼル５との導通を確保できるとともに、固定用の部材などを用いることなくフレーム４にベゼル５を容易に固定でき、組み立ておよび修理の作業性を向上できる。【選択図】図１
2007199106.tif 000002
【特許請求の範囲】
【請求項１】
複数の表示画素が配列された有効表示領域を有する平面表示パネルと、
この平面表示パネルが載置される金属製のフレームと、
前記平面表示パネルの有効表示領域に対応する開口部を備え、前記フレームに取り付けられ、前記フレームとの間で前記平面表示パネルを保持した金属製のベゼルと、
前記フレームと前記ベゼルとの少なくともいずれか一方に設けられた側壁部と、
この側壁部に突設された突出部と、
これら側壁部および突出部に対応して前記フレームと前記ベゼルとの他方に設けられ、前記ベゼルを前記フレームに取り付ける際に前記突出部に圧接されてこの突出部と電気的に接続されるとともに前記ベゼルを前記フレームに固定する圧接側壁部と
を具備したことを特徴とする平面表示装置。
【請求項２】
側壁部は、
ベゼルをフレームに取り付けた状態で圧接側壁部の内側と外側との少なくともいずれか一方に位置する第１壁部と、
前記ベゼルを前記フレームに取り付けた状態で前記圧接側壁部に対して前記第１壁部と反対側に位置する第２壁部とを有し、
突出部は、前記第２壁部の前記第１壁部側に突設され、先端部と前記第１壁部との隙間が前記圧接側壁部の厚みよりも小さく設定されている
ことを特徴とした請求項１記載の平面表示装置。
【請求項３】
突出部は、圧接側壁部に圧接される先端部が球状に形成されている
ことを特徴とした請求項１または２記載の平面表示装置。
【発明の詳細な説明】
【技術分野】
【０００１】
本発明は、平面表示パネルをフレームとベゼルとの間に保持した平面表示装置に関する。
【背景技術】
【０００２】
従来、例えばテレビジョン、コンピュータあるいはカーナビゲーション・システムなどに用いられる平面表示装置としての液晶表示装置は、一対の基板間に液晶層が保持された平面表示パネルとしての液晶表示パネルと、この液晶表示パネルの裏面に重ねて配置された面光源ユニットとを備えている。これら液晶表示パネルおよび面光源ユニットは、強度向上用のフレーム上に載置されるとともに、このフレームに枠状のベゼルが取り付けられることで、これらフレームとベゼルとの間に保持されている。
【０００３】
このようなフレームとベゼルの固定には、螺子が多く用いられていたものの、近年の薄型化および軽量化の要求の高まりに対応するために、螺子を用いず、フレームの側部に突設された突出部に嵌合突部を設け、金属製のベゼルの側部に、折り曲げることで突出部に係合する係合部を突設するとともにこの係合部に嵌合突部が嵌合される嵌合孔を設けることで、フレームとベゼルとを固定する構成が知られている（例えば、特許文献１参照。）
【特許文献１】特開２００１−１３８８９号公報
【発明の開示】
【発明が解決しようとする課題】
【０００４】
ところで、近年、このような液晶表示装置は、薄型化、軽量化のみならず、電波特性対策、静電気対策、あるいはノイズ対策といった電気的特性の対策を求められる傾向にあり、このため、金属製のベゼルと金属製のフレームとの導通を取ることが要求されてきている。
【０００５】
従来のフレームとベゼルとを螺子止めする構成では、この螺子を介してフレームとベゼルとの導通を取ることが可能であるものの、上述のように、液晶表示装置は、その薄型化や軽量化に伴い、螺子を用いない構成が増えてきているため、例えば導電性テープを用いてベゼルとフレームとを固定しつつこれらベゼルとフレームとの導通を確保することが考えられる。
【０００６】
しかしながら、導電性テープによりベゼルとフレームとの導通を図る構成では、組み立ての作業性、および、修理性すなわちリペア性が良好でないという問題点を有している。
【０００７】
また、このような液晶表示装置は、携帯電話などにも使用されるため、その信頼性の条件が厳しく、導電性テープでの導通確保では、信頼性の面で不安があるという問題もある。
【０００８】
さらには、導電性テープを使用することで、部品点数が増加するため、製造コストが上がってしまうという問題もある。
【０００９】
本発明は、このような点に鑑みなされたもので、フレームとベゼルとの導通を確保しつつ組み立ておよび修理の作業性を向上した平面表示装置を提供することを目的とする。
【課題を解決するための手段】
【００１０】
本発明は、複数の表示画素が配列された有効表示領域を有する平面表示パネルと、この平面表示パネルが載置される金属製のフレームと、前記平面表示パネルの有効表示領域に対応する開口部を備え、前記フレームに取り付けられ、前記フレームとの間で前記平面表示パネルを保持した金属製のベゼルと、前記フレームと前記ベゼルとの少なくともいずれか一方に設けられた側壁部と、この側壁部に突設された突出部と、これら側壁部および突出部に対応して前記フレームと前記ベゼルとの他方に設けられ、前記ベゼルを前記フレームに取り付ける際に前記突出部に圧接されてこの突出部と電気的に接続されるとともに前記ベゼルを前記フレームに固定する圧接側壁部とを具備したものである。
【００１１】
そして、金属製のフレームと金属製のベゼルとの少なくともいずれか一方に設けた側壁部に突設された突出部に対して、これら側壁部と突出部とに対応してフレームとベゼルとの他方に設けた圧接側壁部が、ベゼルをフレームに取り付ける際に圧接され、この圧接により突出部と圧接側壁部とが電気的に接続されるとともにベゼルがフレームに固定される。
【発明の効果】
【００１２】
本発明によれば、導通用の部材などを用いることなくフレームとベゼルとの導通を確保できるとともに、固定用の部材などを用いることなくフレームにベゼルを容易に固定でき、組み立ておよび修理の作業性を向上できる。
【発明を実施するための最良の形態】
【００１３】
以下、本発明の一実施の形態の平面表示装置の構成を図１ないし図６を参照して説明する。
【００１４】
図２および図６に平面表示装置としての液晶表示装置１を示し、この液晶表示装置１は、四角形状の平面表示パネルとしての液晶表示パネル２と、この液晶表示パネル２の裏面側に重ねて配置された矩形状の面光源ユニット３とを備え、これら液晶表示パネル２および面光源ユニット３は、矩形状の金属製のフレーム４と矩形枠状の金属製のベゼル５との間に保持されている。
【００１５】
液晶表示パネル２は、矩形状のアレイ基板11および対向基板12と、これらの基板11，12間に封入された図示しない液晶層などを備え、ベゼル５側である上側すなわち表面側に、例えば対角１１．３インチの矩形状の有効表示領域14が形成されている。
【００１６】
アレイ基板11上には、図示しない多数の表示画素、スイッチング素子および配線が形成されているとともに、有効表示領域14の長手方向の一端部に沿って駆動回路15が形成されている。そして、この駆動回路15が、アレイ基板11の長手方向の一端部から突出したＦＰＣ（Flexible Printed Circuit）などのフラットケーブル16を介して図示しない駆動回路基板と電気的に接続されている。また、アレイ基板11の長手方向の他端部には、面状光源ユニット３に嵌合される嵌合突出部18が突設されている。
【００１７】
面光源ユニット３は、例えばサイドエッジ型のものであり、アクリル製の矩形状の導光板21を備え、この導光板21の長手方向の一端面に対向して管状、あるいは点状などの図示しない光源が設けられ、また、導光板21がユニットフレーム23に載置されて構成されている。
【００１８】
導光板21は、表面上に図示しない光学シートなどが層状に設けられている。
【００１９】
光源は、ＦＰＣなどの接続基板25を介して図示しない電力供給部と電気的に接続されている。
【００２０】
また、ユニットフレーム23は、例えば合成樹脂製であり、導光板21が載置される図示しないフレーム底板を備え、このフレーム底板の長手方向に沿う一対の第１フレーム側壁部31，31と、短手方向に沿う一対の第２フレーム側壁部32，32とが、フレーム底板の周縁部に設けられている。これら第１フレーム側壁部31，31と第２フレーム側壁部32，32とのフレーム底板からの突出量は、導光板21の厚みと液晶表示パネル２の厚みとの和と略等しく形成されている。このため、ユニットフレーム23は、導光板21の上部に液晶表示パネル２を載置可能に設けられている。
【００２１】
各第１フレーム側壁部31には、フレーム４が係合される一対の係合凹部34，34が長手方向に互いに離間されて設けられている。
【００２２】
また、ユニットフレーム23の長手方向の一端部に位置する第２フレーム側壁部32には、フラットケーブル16が嵌合される凹部36が上端部に切り欠き形成されている。さらに、この第２フレーム側壁部32には、接続基板25が挿通されて導出される導出孔部37が凹部36の下方にてフレーム底板の一側部寄りに設けられている。
【００２３】
そして、ユニットフレーム23の長手方向の他端部に位置する第２フレーム側壁部32には、液晶表示パネル２の嵌合突出部18が嵌合する嵌合凹部38が設けられている。
【００２４】
したがって、フラットケーブル16と凹部36との嵌合、および、嵌合突出部18と嵌合凹部38との嵌合により、液晶表示パネル２がユニットフレーム23に対して位置決めおよび位置合わせされている。
【００２５】
フレーム４は、面光源ユニット３と液晶表示パネル２とが順次載置される矩形板状の底板41を備え、この底板41の長手方向両側部には、一対の第１側壁部42，42が上方へと突設され、底板41の長手方向の一端部には、規制側壁部43が上方へと突設され、また、底板41の長手方向の他端部には、側壁部としての第２側壁部44が上方へと突設されている。
【００２６】
各第１側壁部42は、底板41の側縁部に沿って長手状に連続し、これら第１側壁部42の両端部近傍には、ユニットフレーム23の各係合凹部34，34に係合する係合部46，46が内側に突設されている。また、各第１側壁部42の係合部46，46よりも長手方向の中心側の位置には、ベゼル５の各側部に係合する突出係合部47，47が外側に突設されている。
【００２７】
規制側壁部43は、図４および図６に示すように、面光源ユニット３の長手方向の一端部を係止するもので、底板41の一端縁部に沿って連続して設けられている。また、この規制側壁部43は、面光源ユニット３のユニットフレーム23の凹部36の下端部に位置するように、底板41からの突出量が設定されている。さらに、この規制側壁部43は、面光源ユニット３の導出孔部37に対応する位置に臨まないように設けられている。すなわち、規制側壁部43は、底板41の他側部側寄りに設けられている。
【００２８】
そして、第２側壁部44は、図１、図３ないし図５に示すように、底板41の短手方向に沿って形成された第１壁部51と、この第１壁部51の両端側に位置する第２壁部52，52とを有している。
【００２９】
第１壁部51は、底板41の長手方向の他端部にて、短手方向の略中央に設けられている。
【００３０】
各第２壁部52は、底板41の長手方向の他端部の両側部から長手方向に突設された底板突出部55，55の先端部にて上方に突設されている。このため、各第２壁部52は、第１壁部51よりも外側に位置している。また、各第２壁部52は、底板41の短手方向に対して第１壁部51よりも短く形成されている。さらに、各第２壁部52は、基端側から先端側へと外側に傾斜し、かつ、各第１側壁部42に対して離間され板ばね状となっている。そして、各第２壁部52の第１壁部51側の側面には、ベゼル５に先端部が圧接される突出部57がそれぞれ突設されている。
【００３１】
また、突出部57は、先端部が球状に形成されている。ここで、各底板突出部55の突出量は、ベゼル５の板厚と突出部57の突出量との和よりも小さく形成されているため、突出部57の先端部と第１壁部51の第２壁部52側の側面との間には、側面視でベゼル５の板厚よりも小さい隙間Ｇが形成されている。
【００３２】
さらに、ベゼル５は、例えば０．２ｍｍ厚のステンレスによって形成され、図２および図６に示すように、有効表示領域14に対応する矩形状の開口部61が開口された額縁状の天板62を備え、この天板62の長手方向両側部には、一対の第１ベゼル側壁部63，63が下方へと突設され、天板62の長手方向の一端部には、端部ベゼル側壁部64が下方へと突設され、また、天板62の長手方向の他端部には、圧接側壁部としての第２ベゼル側壁部65が下方へと突設されている。
【００３３】
各第１ベゼル側壁部63は、ベゼル５の長手方向に沿って連続して形成されている。また、各第１ベゼル側壁部63には、フレーム４の突出係合部47，47が係合される係合孔部66，66がそれぞれ開口形成されている。
【００３４】
端部ベゼル側壁部64は、フラットケーブル16をフレーム４との間で挟持する部分であり、図２に示すように、ベゼル５の長手方向の一端部に沿って連続して形成されている。
【００３５】
第２ベゼル側壁部65は、図５に示すように、フレーム４の第１壁部51と第２壁部52，52との間の隙間Ｇに挿入されて突出部57，57により圧接保持される部分であり、図２に示すように、ベゼル５の長手方向の他端部に沿って連続して形成されている。したがって、この第２ベゼル側壁部65に対して、各第２壁部52が第１壁部51と反対側に位置している。
【００３６】
そして、端部ベゼル側壁部64および第２ベゼル側壁部65は、各第１ベゼル側壁部63に対してそれぞれ離間されている。
【００３７】
次に、上記一実施の形態の組み立て手順を説明する。
【００３８】
まず、導光板21および光源をユニットフレーム23に嵌合させ、接続基板25を導出孔部37に挿通させて面光源ユニット３を形成するとともに、これら導光板21および光源の上部にて、液晶表示パネル２をユニットフレーム23に嵌合させる。
【００３９】
このとき、液晶表示パネル２の嵌合突出部18をユニットフレーム23の嵌合凹部38に嵌合させるとともに、フラットケーブル16をユニットフレーム23の凹部36に嵌合させることで、液晶表示パネル２がユニットフレーム23内で位置決めされる。
【００４０】
さらに、これら面光源ユニット３および液晶表示パネル２をフレーム４の底板41上に載置する。
【００４１】
このとき、フレーム４の各係合部46がユニットフレーム23の各係合凹部34に係合することで、面光源ユニット３および液晶表示パネル２がフレーム４に固定される。
【００４２】
そして、フレーム４に固定された面光源ユニット３および液晶表示パネル２上からベゼル５を被せて取り付ける。
【００４３】
このとき、図５に示すように、第２ベゼル側壁部65を第１壁部51と第２壁部52との間の隙間Ｇに差し込むことで、この隙間Ｇよりも大きい厚みを有する第２ベゼル側壁部65が隙間Ｇを拡げるように第２壁部52を外方に押し、この第２壁部52が外側へと弾性的に変形する。
【００４４】
このため、元の状態に復帰変形しようとする第２壁部52によって各突出部57が第２ベゼル側壁部65に弾性的に圧力を加えながら接触、すなわち圧接されて、フレーム４とベゼル５とが電気的に接続され、かつ、各突出部57の第２ベゼル側壁部65への圧接と、図６に示すフレーム４の各突出係合部47のベゼル５の各係合孔部66への係合とにより、ベゼル５がフレーム４に保持固定される。
【００４５】
すなわち、フレーム４の第２側壁部44に突設した突出部57に対して、ベゼル５の第２ベゼル側壁部65が、ベゼル５をフレーム４に取り付ける際に圧接され、この圧接により突出部57と第２ベゼル側壁部65とが電気的に接続されることで、例えば螺子、あるいは導電性テープなどの導通用の部材を用いることなくフレーム４とベゼル５との導通を確保でき、信頼性の条件が厳しい例えば携帯電話などに上記液晶表示装置１を使用した場合でも、信頼性を確保できる。
【００４６】
また、螺子、あるいは導電性テープなど用いないため、液晶表示装置１の薄型化および軽量化を図ることができるとともに、電波特性対策、静電気対策、あるいはノイズ対策などの電気的特性を改善できる。
【００４７】
さらに、突出部57に対して第２ベゼル側壁部65がベゼル５をフレーム４に取り付ける際に圧接されてベゼル５がフレーム４に固定されることで、螺子などの固定用の部材を用いることなく、ベゼル５をフレーム４に嵌合のみで容易に固定できるので、螺子止めなどの製造工程を軽減でき、組み立ての作業性を向上できるとともに、修理の際には、ベゼル５とフレーム４との嵌合を外すだけで容易に内部にアクセスでき、修理の作業性を向上でき、かつ、部品点数を抑制できることで、製造コストを低減できる。
【００４８】
そして、具体的に、第２壁部52にて第１壁部51側に突設した突出部57の先端部と第１壁部51との隙間Ｇを、第２ベゼル側壁部65の厚みよりも小さく設定することにより、第２ベゼル側壁部65を第１壁部51と第２壁部52との間に挿入するだけで、突出部57が第２ベゼル側壁部65に圧接されてベゼル５がフレーム４に保持固定される構成を容易に形成できる。
【００４９】
また、突出部57が突設された第２壁部52を両側部に設けることで、ベゼル５の第２ベゼル側壁部65をこれら第２壁部２のそれぞれの突出部57にて２箇所で保持固定するので、フレーム４とベゼル５との導通を、より得やすくなるとともに、ベゼル５をフレーム４に、より確実に固定できる。
【００５０】
さらに、突出部57の先端部を球状とすることにより、ベゼル５の第２ベゼル側壁部65を隙間Ｇに挿入する際に、この第２ベゼル側壁部65と突出部57との摺動抵抗を抑制でき、ベゼル５をフレーム４に取り付けやすくなる。
【００５１】
なお、上記一実施の形態では、側壁部および突出部をフレーム４に設け、圧接側壁部をベゼル５に設ける構成としたが、側壁部および突出部をベゼル５に設け、圧接側壁部をフレーム４に設けてもよく、あるいは、側壁部および突出部をフレーム４およびベゼル５にそれぞれ設け、これら側壁部および突出部に対応する圧接側壁部をベゼル５およびフレーム４にそれぞれ設ける構成なども可能である。
【００５２】
また、第１壁部51と第２壁部52とは、例えば第１壁部51を第２ベゼル側壁部65の外側、第２壁部52を第２ベゼル側壁部65の内側としたり、第１壁部51を第２ベゼル側壁部65の内側と外側との両方に設け、これら第１壁部51に対応する第２壁部52を第２ベゼル側壁部65の外側と内側とに設けたりしてもよく、位置を適宜選択できる。
【００５３】
さらに、第１壁部51を複数設け、これら第１壁部51に対応して第２壁部52を設けてもよい。
【００５４】
そして、側壁部は、フレーム４の長手方向の他端部に設けたが、長手方向の一端部、両端部、フレーム４の長手方向の一側部、他側部、あるいは両側部など、いずれの箇所に設けてもよい。この場合には、ベゼル５の圧接側壁部を側壁部の位置に対応させることで、上記構成と同様の作用効果を奏することができる。
【００５５】
また、第２側壁部44の構成は、第１壁部と第２壁部とを設けるものに限定されるものではない。
【００５６】
さらに、液晶表示装置１の細部は、上記構成に限定されるものではない。
【００５７】
そして、上記構成は、平面表示装置として、液晶表示装置１以外でも、例えば有機ＥＬ表示装置などにも適用できる。
【図面の簡単な説明】
【００５８】
【図１】本発明の一実施の形態の平面表示装置の要部を示す側面図である。
【図２】同上平面表示装置を示す斜視図である。
【図３】同上平面表示装置のフレームの一部を示す側面図である。
【図４】同上フレームを示す斜視図である。
【図５】同上平面表示装置の組み立て手順の一部を示す側面図である。
【図６】同上平面表示装置を示す分解斜視図である。
【符号の説明】
【００５９】
１    平面表示装置としての液晶表示装置
２    平面表示パネルとしての液晶表示パネル
４    フレーム
５    ベゼル
14    有効表示領域
44    側壁部としての第２側壁部
51    第１壁部
52    第２壁部
57    突出部
61    開口部
65    圧接側壁部としての第２ベゼル側壁部
【図１】
2007199106.tif 000003
【図２】
2007199106.tif 000004
【図３】
2007199106.tif 000005
【図４】
2007199106.tif 000006
【図５】
2007199106.tif 000007
【図６】
2007199106.tif 000008